(57)【要約】【課題】印刷装置における印刷時のインク使用量を低減しつつ階調再現性の低下を抑制する。【解決手段】画像処理装置は、印刷媒体にインクを吐出して印刷を実行する印刷装置に対し入力される印刷データを、画像データを用いて生成する。この画像処理装置は、印刷媒体の下地色を示す情報を取得する下地色情報取得部と、画像データと下地色を示す情報とを用いて、印刷データを生成する印刷データ生成部と、を備え、印刷データ生成部は、印刷装置の色域において下地色に最も近い色である最近傍色を含む領域であって、色域における最近傍色の位置に応じて定められる領域である最近傍色含有領域において、インクの使用量が最近傍色に近づくにつれて減るように、印刷データを生成する。【選択図】図１
2018186323.tif 000002
【特許請求の範囲】
【請求項１】
印刷媒体にインクを吐出して印刷を実行する印刷装置に対し入力される印刷データを、画像データを用いて生成する画像処理装置であって、
前記印刷媒体の下地色を示す情報を取得する下地色情報取得部と、
前記画像データと前記下地色を示す情報とを用いて、前記印刷データを生成する印刷データ生成部と、
を備え、
前記印刷データ生成部は、前記印刷装置の色域において前記下地色に最も近い色である最近傍色を含む領域であって、前記色域における前記最近傍色の位置に応じて定められる領域である最近傍色含有領域において、前記インクの使用量が前記最近傍色に近づくにつれて減るように、前記印刷データを生成する、
画像処理装置。
【請求項２】
請求項１に記載の画像処理装置において、
前記印刷データ生成部は、前記最近傍色における前記インクの使用量がゼロとなるように、前記印刷データを生成する、
画像処理装置。
【請求項３】
請求項１または請求項２に記載の画像処理装置において、
前記色域における前記最近傍色からの距離と、前記インクの使用量と、の複数の対応付けのうちから、使用する対応付けを選択するためのユーザーインターフェイスを、さらに備え、
前記印刷データ生成部は、前記ユーザーインターフェイスにより選択された対応付けを用いて、前記印刷データを生成する、
画像処理装置。
【請求項４】
請求項１から請求項３までのいずれか一項に記載の画像処理装置において、
前記最近傍色含有領域は、前記最近傍色を中心とする所定の半径の等距離領域の少なくとも一部である、
画像処理装置。
【請求項５】
請求項４に記載の画像処理装置において、
前記最近傍色は、前記下地色であり、
前記印刷データ生成部は、前記等距離領域のすべてが前記最近傍色含有領域に含まれる場合、前記等距離領域のすべてを前記最近傍色含有領域として、前記印刷データを生成する、
画像処理装置。
【請求項６】
請求項４または請求項５に記載の画像処理装置において、
前記印刷データ生成部は、前記等距離領域の一部が前記色域の外部に存在する場合には、前記等距離領域と前記色域との重複領域を前記最近傍色含有領域として、前記印刷データを生成する、
画像処理装置。
【請求項７】
請求項６に記載の画像処理装置において、
前記最近傍色は、前記下地色であり、
前記最近傍色含有領域のうち、前記等距離領域の外縁と前記色域の外縁との交差部と、前記下地色と、で囲まれる第１領域における前記下地色からの距離と前記インクの使用量との第１の対応付けと、前記最近傍色含有領域における前記第１領域を除く他の第２領域における前記下地色からの距離と前記インクの使用量との第２の対応付けと、は互いに異なり、
前記下地色を通る仮想線上に存在する前記第１領域内の色に対応付けられる前記インクの使用量と、該色について前記仮想線において前記下地色を中心として対称となる色に対応付けられる前記インクの使用量と、の比は、前記仮想線と前記等距離領域の外縁との交点と前記下地色との間の距離と、前記仮想線と前記色域の外縁との交点と前記下地色との間の距離と、の比に一致する、
画像処理装置。
【請求項８】
請求項４から請求項７までのいずれか一項に記載の画像処理装置において、
前記印刷データ生成部は、前記下地色を中心とした前記所定の半径の領域のすべてが、前記色域の外部に存在する場合には、前記等距離領域と、前記色域との重複領域を、前記最近傍色含有領域として、前記印刷データを生成する、
画像処理装置。
【請求項９】
請求項１から請求項８までのいずれか一項に記載の画像処理装置を備える、印刷装置。
【請求項１０】
印刷媒体にインクを吐出して印刷を実行する印刷装置に対し入力される印刷データを、画像データを用いて生成するためのコンピュータープログラムであって、
前記印刷媒体の下地色を示す情報を取得する機能と、
前記画像データと前記下地色を示す情報とを用いて、前記印刷データを生成する機能と、
をコンピューターに実現させ、
前記印刷データを生成する機能は、前記印刷装置の色域における前記下地色に最も近い色である最近傍色を含む領域であって、前記色域における前記最近傍色の位置に応じて定められる領域である最近傍色含有領域において、前記インクの使用量が前記最近傍色に近づくにつれて減るように、前記印刷データを生成する機能を有する、
コンピュータープログラム。
【発明の詳細な説明】
【技術分野】
【０００１】
本発明は、印刷装置による印刷に用いられる印刷データの生成に関する。
【背景技術】
【０００２】
印刷装置を用いて、印刷面が白色や透明でない有色の印刷媒体に対してインクを吐出して画像を印刷する際に、画像の背景色と印刷媒体の印刷面の色（以下、「下地色」と呼ぶ）とが一致する場合には、背景色を透明に設定することにより、背景部分にインクを吐出しないようにしてインクの使用量を低減させる技術が提案されている（特許文献１参照）。
【先行技術文献】
【特許文献】
【０００３】
【特許文献１】特開２００７−２８８７７３号公報
【発明の概要】
【発明が解決しようとする課題】
【０００４】
しかし、特許文献１の技術では、画像内において背景色と同色の画素についてはインク量を低減できるものの、背景色に近い色の画素についてはインク量を低減できないため、インクの使用量の低減は非常に限られたものとなる。また、背景色に加えて背景色に近い色まで含めて画一的に透明に設定すると、画像内における或る色範囲が唐突に同一色となるために階調破綻が生じ、画像における階調再現性が極端に低下するという問題がある。このため、印刷装置におけるインク使用量を低減しつつ階調再現性の低下を抑制可能な技術が望まれている。
【課題を解決するための手段】
【０００５】
本発明は、上述の課題の少なくとも一部を解決するためになされたものであり、以下の形態として実現することが可能である。
【０００６】
（１）本発明の一形態によれば、印刷媒体にインクを吐出して印刷を実行する印刷装置に対し入力される印刷データを、画像データを用いて生成する画像処理装置が提供されている。この画像処理装置は；前記印刷媒体の下地色を示す情報を取得する下地色情報取得部と；前記画像データと前記下地色を示す情報とを用いて、前記印刷データを生成する印刷データ生成部と；を備え；前記印刷データ生成部は、前記印刷装置の色域において前記下地色に最も近い色である最近傍色を含む領域であって、前記色域における前記最近傍色の位置に応じて定められる領域である最近傍色含有領域において、前記インクの使用量が前記最近傍色に近づくにつれて減るように、前記印刷データを生成する。
【０００７】
この形態の画像処理装置によれば、印刷装置の色域における下地色に最も近い色である最近傍色を含む最近傍色含有領域において、インクの使用量が最近傍色に近づくにつれて減るように印刷データを生成するので、下地色と同じ色のみについてインク量を減らすように印刷データを生成する構成に比べてインクの使用量をより低減でき、また、最近傍色含有領域において一律に同じ量だけインク量を減らす構成に比べて画像における階調再現性の低下を抑制できる。したがって、インク使用量を低減しつつ階調再現性の低下を抑制できる。
【０００８】
（２）上記形態の画像処理装置において、前記印刷データ生成部は、前記最近傍色における前記インクの使用量がゼロとなるように、前記印刷データを生成してもよい。この形態の画像処理装置によれば、最近傍色におけるインクの使用量がゼロとなるように印刷データを生成するので、最近傍色におけるインクの使用量がゼロよりも多い構成に比べてインクの使用量をより低減できる。
【０００９】
（３）上記形態の画像処理装置において、前記色域における前記最近傍色からの距離と、前記インクの使用量と、の複数の対応付けのうちから、使用する対応付けを選択するためのユーザーインターフェイスをさらに備え；前記印刷データ生成部は、前記ユーザーインターフェイスにより選択された対応付けを用いて、前記印刷データを生成してもよい。この形態の画像処理装置によれば、色域における下地色からの距離と、インクの使用量と、の複数の対応付けのうちから、使用する対応付けを選択するためのユーザーインターフェイスを備えており、かかるユーザーインターフェイスにより選択された対応付けを用いて印刷データが生成されるので、ユーザーは、より好ましい再現性を得られるように、対応付けを選択することができる。
【００１０】
（４）上記形態の画像処理装置において、前記最近傍色含有領域は、前記最近傍色を中心とする所定の半径の等距離領域の少なくとも一部であってもよい。この形態の画像処理装置によれば、最近傍色を中心とする所定の等距離領域の少なくとも一部を最近傍領域として設定するので、最近傍色を中心とした色範囲においてバランスよくインクの使用量を低減でき、色の再現性の低下をより抑制できる。
【００１１】
（５）上記形態の画像処理装置において、前記最近傍色は、前記下地色であり；前記印刷データ生成部は、前記等距離領域のすべてが前記最近傍色含有領域に含まれる場合、前記等距離領域のすべてを前記最近傍色含有領域として、前記印刷データを生成してもよい。この形態の画像処理装置によれば、下地色を中心とした所定の半径の等距離領域のすべてにおいてインクの使用量を減らすことができるので、インクの使用量をより低減できると共に、色の再現性の低下をより抑制できる。
【００１２】
（６）上記形態の画像処理装置において、前記印刷データ生成部は、前記等距離領域の一部が前記色域の外部に存在する場合には、前記等距離領域と前記色域との重複領域を前記最近傍色含有領域として、前記印刷データを生成してもよい。この形態の画像処理装置によれば、等距離領域と色域との重複領域を最近傍色含有領域として印刷データを生成するので、少なくとも重複領域においては、下地色を中心とした色範囲においてバランスよくインクの使用量を低減できる。
【００１３】
（７）上記形態の画像処理装置において、前記最近傍色は、前記下地色であり；前記最近傍色含有領域のうち、前記等距離領域の外縁と前記色域の外縁との交差部と、前記下地色と、で囲まれる第１領域における前記下地色からの距離と前記インクの使用量との第１の対応付けと、前記最近傍色含有領域における前記第１領域を除く他の第２領域における前記下地色からの距離と前記インクの使用量との第２の対応付けと、は互いに異なり；前記下地色を通る仮想線上に存在する前記第１領域内の色に対応付けられる前記インクの使用量と、該色について前記仮想線において前記下地色を中心として対称となる色に対応付けられる前記インクの使用量と、の比は、前記仮想線と前記等距離領域の外縁との交点と前記下地色との間の距離と、前記仮想線と前記色域の外縁との交点と前記下地色との間の距離と、の比に一致してもよい。この形態の画像処理装置によれば、第１領域と第２領域とで、下地色からの距離とインクの使用量との対応付けが同じである構成に比べて、インクの使用量をより多く低減できる。
【００１４】
（８）上記形態の画像処理装置において、前記印刷データ生成部は、前記下地色を中心とした前記所定の半径の領域のすべてが、前記色域の外部に存在する場合には、前記等距離領域と、前記色域との重複領域を、前記最近傍色含有領域として、前記印刷データを生成してもよい。この形態の画像処理装置によれば、下地色を中心とした所定の半径の領域のすべてが、印刷装置の色域の外部に存在する場合であっても、最近傍色を中心とする等距離領域を最近傍色含有領域として印刷データを作成するので、インクの使用量を低減しつつ色の再現性の低下を抑制できる。
【００１５】
本発明は、種々の形態で実現することも可能である。例えば、上記のいずれかの形態の画像処理装置を備える印刷装置、画像データ生成方法、上記装置または方法を実現するためのコンピュータープログラムや、かかるコンピュータープログラムを記録した記録印刷媒体等の形態で実現することができる。
【図面の簡単な説明】
【００１６】
【図１】本発明の一実施形態としての画像処理装置の概略構成を示すブロック図である。
【図２】図１に示す印刷装置の概略構成を示すブロック図である。
【図３】第１実施形態における印刷データ生成処理の手順を示すフローチャートである。
【図４】最近傍色特定処理の手順を示すフローチャートである。
【図５】最近傍色の一例を示す説明図である。
【図６】最近傍色の一例を示す説明図である。
【図７】最近傍色含有領域特定処理の手順を示すフローチャートである。
【図８】最近傍色含有領域の一例を示す説明図である。
【図９】最近傍色含有領域の一例を示す説明図である。
【図１０】最近傍色含有領域の一例を示す説明図である。
【図１１】第１実施形態のインク使用率テーブルの設定内容を模式的に示す説明図である。
【図１２】第２実施形態におけるインク使用率特定処理の手順を示すフローチャートである。
【図１３】第２実施形態のインク使用率特定処理のステップＳ４１５の手順を説明するための説明図である。
【図１４】第２実施形態におけるインク使用率テーブルの設定内容を模式的に示す説明図である。
【図１５】第３実施形態におけるインク使用率テーブルの設定内容を模式的に示す説明図である。
【図１６】第３実施形態におけるインク使用率テーブル選択メニュー画面の一例を示す説明図である。
【発明を実施するための形態】
【００１７】
Ａ．第１実施形態：
Ａ１．装置構成：
図１は、本発明の一実施形態としての画像処理装置１００の概略構成を示すブロック図である。画像処理装置１００は、パーソナルコンピューターにより構成され、ケーブルを介して表示装置６０および印刷装置２００と電気的に接続されている。画像処理装置１００は、画像データを用いて印刷データを生成し、印刷装置２００に対して印刷データを送信して印刷を実行させる。画像データは、例えば、画像処理装置１００にインストールされているアプリケーションプログラムにより生成された画像データや、画像処理装置１００に接続されている図示しない記録印刷媒体に記憶されている画像データや、画像処理装置１００に対して無線ＬＡＮにより接続されている図示しないスマートフォン等の通信デバイスから受信する画像データなどが該当する。本実施形態において、画像データは、Ｒ，Ｇ，Ｂの各色の０〜２５５までの階調値からなるデータである。
【００１８】
画像処理装置１００は、互いに内部バス５０により接続されているＣＰＵ１０、メモリー２０、ハードディスクドライブ３０、および入出力インターフェイス部４０を備える。ＣＰＵ１０は、所定のオペレーティングシステムの下、メモリー２０に記憶されている制御プログラムを実行することにより、画像入力部１１１、下地色情報取得部１１２、印刷データ生成部１１３、印刷指示部１１４、および表示制御部１１５として機能する。なお、下地色情報取得部１１２、印刷データ生成部１１３、印刷指示部１１４および表示制御部１１５は、上述の制御プログラムとしての印刷装置２００用のドライバーソフトウェアをＣＰＵ１０が実行することにより実現されてもよい。
【００１９】
画像入力部１１１は、指定された画像データを読み込む。例えば、上述のように、アプリケーションプログラムにより生成された画像データは、メモリー２０またはハードディスクドライブ３０から読み込む。下地色情報取得部１１２は、印刷装置２００が扱う印刷媒体Ｐの下地色の情報を、印刷装置２００から取得する。印刷媒体Ｐとしては、例えば、印刷用紙の他、Ｔシャツなどの衣類や、透明または不透明な樹脂フィルムなどが該当する。印刷データ生成部１１３は、後述する印刷データ生成処理を実行して、印刷装置２００における印刷に用いられる印刷データを生成する。印刷指示部１１４は、印刷のための各種制御コマンドを印刷データに付加して印刷装置２００に送信し、印刷装置２００に対して印刷を指示する。表示制御部１１５は、画像処理装置１００に接続されている表示装置６０を制御して、表示装置６０に各種メニュー画面や、印刷対象となる画像などを表示させる。表示装置６０は、例えば、液晶ディスプレイにより構成してもよい。
【００２０】
メモリー２０は、ＲＡＭやＲＯＭ等からなり、上述の制御プログラムに加えて、色域情報２１およびインク使用率テーブル２２を、予め記憶している。また、メモリー２０は、オペレーションシステムや制御プログラムを実行する際のワークエリアとして用いられる。色域情報２１は、印刷装置２００の色域、いわゆるガマットを示す情報である。インク使用率テーブル２２の詳細については、後述する。色域情報２１およびインク使用率テーブル２２は、いずれも印刷装置２００用のドライバーソフトウェアの一部として、メモリー２０に記憶されていてもよい。
【００２１】
入出力インターフェイス部４０は、表示装置６０との接続のための各種インターフェイス、および印刷装置２００と接続するための各種インターフェイスを備える。表示装置６０との接続のためのインターフェイスとしては、例えば、ＶＧＡ（Video Graphic Array）、ＤＶＩ（Digital Visual Interface）、ＨＤＭＩ（High Definition Multimedia Interface：登録商標）などを用いてもよい。また、印刷装置２００と接続するためのインターフェイスとしては、例えば、ＵＳＢ（Universal Serial Bus）、Ｂｌｕｅｔｏｏｔｈ（登録商標）、Ｔｒａｎｓｆｅｒ  Ｊｅｔ（登録商標）などを用いてもよい。
【００２２】
図２は、図１に示す印刷装置２００の概略構成を示すブロック図である。印刷装置２００は、インクジェット式プリンターであり、シアン色（Ｃ）、マゼンタ色（Ｍ）、黄色（Ｙ）、および黒色（Ｋ）の合計４色のインクを吐出して画像を印刷する。なお、４色に限らず、任意の色数のインクを吐出してもよい。
【００２３】
印刷装置２００は、操作パネル２０１と、接続インターフェイス部２０２と、制御部２１０と、キャリッジモーター２５０と、無端の駆動ベルト２５１と、プーリー２５２と、支持ロッド２５３と、キャリッジ２２０と、測色器２３０と、紙送りモーター２８１と、紙送りローラー２８２とを備える。
【００２４】
操作パネル２０１は、ユーザーによる印刷モードの設定操作や、テストパターン印刷等の各種メンテナンス動作の指示操作を受け付ける。また、操作パネル２０１には、図示しないディスプレイが設けられており、各種メニュー画面や印刷装置２００のステータス等が表示される。接続インターフェイス部２０２は、画像処理装置１００とケーブルにより接続され、画像処理装置１００が送信する上述の印刷データおよび制御コマンドを受信して制御部２１０に渡す。
【００２５】
制御部２１０は、印刷装置２００の全体を制御する。例えば、制御部２１０は、キャリッジ２２０の主走査方向ＭＤに沿った往復動作や、印刷媒体Ｐの副走査方向ＳＤに沿った搬送動作を制御すると共に、キャリッジ２２０に取り付けられている後述の印刷ヘッド２２５を駆動して印刷媒体Ｐへのインク吐出を制御する。本実施形態において、主走査方向ＭＤと副走査方向ＳＤとは互いに直交する。また、制御部２１０は、測色器２３０から通知される後述の下地色データを、接続インターフェイス部２０２およびケーブルを介して画像処理装置１００に通知する。
【００２６】
キャリッジモーター２５０は、駆動ベルト２５１を介してキャリッジ２２０を往復動作させる。駆動ベルト２５１は、キャリッジモーター２５０とプーリー２５２との間に架け渡されている。支持ロッド２５３は、主走査方向ＭＤと平行に延設された棒状の部材であり、キャリッジ２２０を主走査方向ＭＤに沿って往復移動可能に支持している。
【００２７】
印刷装置２００は、いわゆるオンキャリッジタイプのプリンターであり、キャリッジ２２０には、各インク色の合計４つのインクカートリッジ２２１，２２２，２２３，２２４が装着されている。また、キャリッジ２２０において、印刷媒体Ｐと対向する端部には、印刷ヘッド２２５が取り付けられている。印刷ヘッド２２５は、多数のノズルを備え、制御部２１０からの指示に応じて、各インクカートリッジ２２１〜２２４に収容されているインクをノズルから吐出させる。さらに、キャリッジ２２０において、印刷媒体Ｐと対向する端部には、測色器２３０が取り付けられている。測色器２３０は、印刷媒体Ｐの表面の色（以下、「下地色」と呼ぶ）を測定し、下地色を示す情報（下地色データ）を制御部２１０に通知する。本実施形態において、測色器２３０が通知する下地色データは、ＲＧＢの各階調値からなるデータである。
【００２８】
上述の構成を有する画像処理装置１００では、後述の印刷データ生成処理が実行されて印刷データが生成される。かかる印刷データに基づき印刷装置２００で画像が印刷されると、下地色およびその色に近い色の印刷に用いられるインクの使用量を低減でき、且つ、階調再現性の低下を抑制できる。
【００２９】
Ａ２．印刷データ生成処理：
図３は、第１実施形態における印刷データ生成処理の手順を示すフローチャートである。画像処理装置１００において、ユーザーが画像を指定して印刷実行を指示すると、画像処理装置１００において印刷データ生成処理が実行される。
【００３０】
まず、下地色情報取得部１１２は、印刷装置２００から下地色データ（ＲＧＢ）を取得し、また、画像入力部１１１は画像データ（ＲＧＢ）を取得する（ステップＳ１０５）。印刷装置２００において制御部２１０は、画像処理装置１００からの問い合わせに応じて、印刷媒体Ｐの表面の色（下地色）を測定し、画像処理装置１００に下地色データを通知してもよい。また、例えば、予め印刷媒体Ｐの下地色データが印刷装置２００の制御部２１０に記憶されており、制御部２１０は、画像処理装置１００からの問い合わせに応じて、記憶されている下地色データを印刷装置２００に送信してもよい。
【００３１】
画像入力部１１１は、ステップＳ１０５で取得された画像データを、周知の演算式を用いてＬ＊ａ＊ｂ＊色空間のデータに変換し、下地色情報取得部１１２は、ステップＳ１０５で取得された下地色データを、周知の演算式を用いてＬ＊ａ＊ｂ＊色空間のデータに変換する（ステップＳ１１０）。
【００３２】
印刷データ生成部１１３は、最近傍色特定処理を実行して、印刷装置２００の色域において、下地色に最も近い色（以下、「最近傍色」と呼ぶ）を特定する（ステップＳ１１５）。
【００３３】
図４は、最近傍色特定処理の手順を示すフローチャートである。印刷データ生成部１１３は、ステップＳ１１０で特定された下地色データ（Ｌ＊ａ＊ｂ＊）に基づき、かかるデータの示す下地色が印刷装置２００の色域（以下、単に「色域」と呼ぶ）内に存在するか否かを判定する（ステップＳ２０５）。下地色が色域内に存在すると判定された場合（ステップＳ２０５：ＹＥＳ）、印刷データ生成部１１３は、下地色を最近傍色として特定し（ステップＳ２１０）、最近傍色特定処理は終了して、図３に示す印刷データ生成処理に戻る。
【００３４】
図５は、ステップＳ２１０が実行された場合に特定される最近傍色の一例を示す説明図である。図５において、横軸は彩度Ｃ＊を示し、縦軸は明度Ｌ＊を示す。図５では、色域ＣＡｒと、最近傍色Ｃｎと、下地色Ｃ１とが表されている。図５に示す例では、下地色Ｃ１は、色域ＣＡｒ内に存在するので、下地色Ｃ１が最近傍色Ｃｎとして特定される。なお、彩度Ｃ＊は、ａ＊値およびｂ＊値を用いて所定の演算式により求めることができる。
【００３５】
図４に示すように、上述のステップＳ２０５において、下地色が色域内に存在しないと判定された場合（ステップＳ２０５：ＮＯ）、印刷データ生成部１１３は、色域の外縁のうち、下地色から最も近い色を、最近傍色として特定し（ステップＳ２１５）、最近傍色特定処理は終了して、図３に示す印刷データ生成処理に戻る。
【００３６】
図６は、ステップＳ２１５が実行された場合に特定される最近傍色の一例を示す説明図である。図６の横軸および縦軸は、図５の横軸および縦軸と同じであるので、その詳細な説明を省略する。図６では、図５と同様に色域ＣＡｒを示している。加えて、下地色Ｃ２と、最近傍色Ｃｎとを示している。
【００３７】
図６の例では、下地色Ｃ２が、色域ＣＡｒの外に存在するため、色域ＣＡｒの外縁のうち、下地色Ｃ２に最も近い外縁を構成する直線に対して、下地色Ｃ２から垂線を描いた場合に交わる交点が、最近傍色Ｃｎとして特定されることとなる。
【００３８】
図３に示すように、最近傍色が特定された後、印刷データ生成部１１３は、最近傍色含有領域特定処理を実行する（ステップＳ１２０）。最近傍色含有領域とは、最近傍色を含む領域であって、色域における最近傍色の位置に応じて定められる領域である。後述するように、最近傍色含有領域内の色については、本実施形態の印刷データ生成処理を行わずに印刷データを生成した場合に比べて、インクの使用量が低減される。
【００３９】
図７は、最近傍色含有領域特定処理の手順を示すフローチャートである。印刷データ生成部１１３は、最近傍色を中心とした所定の半径の円領域（以下、単に「円領域」と呼ぶ）を特定する（ステップＳ３０５）。かかる円領域は、課題を解決するための手段欄における等距離領域の下位概念に相当する。次に、印刷データ生成部１１３は、ステップＳ３０５で特定された円領域と色域との重複領域を、最近傍色含有領域として特定する（ステップＳ３１０）。
【００４０】
図８、図９および図１０は、それぞれ最近傍色含有領域の一例を示す説明図である。図８では、最近傍色として図５に示す最近傍色Ｃｎが特定された場合に特定される最近傍色含有領域ＡｒＩを示す。また、図９では、最近傍色として図６に示す最近傍色Ｃｎが特定された場合に特定される最近傍色含有領域ＡｒＩを示す。
【００４１】
図８の例では、最近傍色Ｃｎを中心とする半径ｒ１の円領域Ａｒ１は、すべて色域ＣＡｒ内に含まれている。したがって、円領域Ａｒ１と色域ＣＡｒとの重複領域は、円領域Ａｒ１と一致し、最近傍色含有領域ＡｒＩと一致する。
【００４２】
これに対して、図９の例では、最近傍色Ｃｎを中心とする半径ｒ１の円領域Ａｒ２の一部は、色域ＣＡｒの外部に存在する。このため、円領域Ａｒ２のうち、色域ＣＡｒ内に存在する部分が、最近傍色含有領域ＡｒＩとして特定されることとなる。
【００４３】
図１０の例では、下地色Ｃ３は色域ＣＡｒ内に存在するため、下地色Ｃ３が最近傍色Ｃｎとして特定される。しかし、図９の例と同様に、最近傍色Ｃｎを中心とする半径ｒ１の円領域Ａｒ３の一部は、色域ＣＡｒの外部に存在する。このため、円領域Ａｒ３のうち、色域ＣＡｒ内に存在する部分が、最近傍色含有領域ＡｒＩとして特定されることとなる。
【００４４】
図３に示すように、印刷データ生成部１１３は、ステップＳ１２０で特定された最近傍色含有領域内の各色について、インク使用率テーブル２２を参照してインク使用率を特定する（ステップＳ１２５）。
【００４５】
図１１は、第１実施形態のインク使用率テーブル２２の設定内容を模式的に示す説明図である。図１１に示すように、インク使用率テーブル２２では、絶対色空間（Ｌ＊ａ＊ｂ＊色空間）における最近傍色からの距離（色差）と、インク使用率（％）とが対応付けられている。本実施形態では、「最近傍色からの距離」として、色差ΔＥ００が用いられている。なお、ΔＥ００に代えて、ΔＥ＊ａｂ、Δａ＊ｂなどの他の種類の色差を用いてもよい。また、本実施形態では、インク使用率とは、本実施形態の印刷データ生成処理を行わずに、印刷データを生成した場合に使用されるインク量を基準（１００％）とした割合として設定されている。
【００４６】
図１１に示すように、本実施形態では、最近傍色（０）から、円領域の半径ｒ１に相当する距離ｒ１までの範囲において、下地色からの距離とインク使用率とは正比例の関係にある。本実施形態では、最近傍色では、インク使用率は０％に設定されている。また、本実施形態では、最近傍色から距離ｒ１だけ離れた位置（色）において、インク使用率は１００％に設定されている。さらに、最近傍色から距離ｒ１よりも遠く離れた位置（色）において、インク使用率は１００％に設定されている。
【００４７】
図３に示すように、最近傍色含有領域内の各色に対するインク使用率が特定された後、印刷データ生成部１１３は、ステップＳ１０５で取得された画像データ（ＲＧＢ）を、図示しないルックアップテーブルを参照してインク色データ（ＣＭＹＫ）に変換する（ステップＳ１３０）。インク色データは、４つのインク色のそれぞれの階調値の組み合わせからなる。印刷データ生成部１１３は、インク色データに対して、ステップＳ１２５で特定されたインク使用率を適用して、インク色データを修正する（ステップＳ１３５）。具体的には、インク色データのうち、最近傍色含有領域内の色に対応するインク色の組み合わせ（各インク色の階調値）に対して、その色に対応付けられているインク使用率を掛け合わせてインク色データを修正する。
【００４８】
印刷データ生成部１１３は、ステップＳ１３５で得られた修正後のインクデータを対象としてハーフトーン処理を実行する（ステップＳ１４０）。印刷データ生成部１１３は、ステップＳ１４０の処理後のデータを対象としてインタレース処理を実行する（ステップＳ１４５）。その結果、各インク色のドットパターンからなる印刷データが生成され、印刷データ生成処理は終了する。
【００４９】
このようにして生成された印刷データは、印刷指示部１１４により制御コマンドともに印刷装置２００に送信される。そして、印刷装置２００において、印刷データに基づき印刷ヘッド２２５やキャリッジモーター２５０が駆動されて印刷媒体Ｐに画像が印刷されることとなる。上述のように、最近傍色含有領域ＡｒＩ内の色については、インクの使用量が低減されているので、本実施形態における印刷データ生成処理が実行されずに印刷データが生成され、かかる印刷データを用いて印刷が実行された場合に比べて、インクの使用量が抑えられることとなる。また、画像中、最近傍色については、インク使用量が０％となるため、印刷媒体Ｐの表面が画像の一部として表されることとなる。したがって、下地色が０％ではない構成に比べてインク使用量をより低減できる。また、最近傍色含有領域ＡｒＩでは、下地色に近づくにつれてインク使用量が次第に減っていくので、下地色を中心とした或る色範囲のすべてについて、一律にインクを用いないという構成に比べて、階調再現性の低下を抑制できる。
【００５０】
以上説明した第１実施形態の画像処理装置１００によれば、印刷装置２００の色域における下地色に最も近い色である最近傍色を含む最近傍色含有領域ＡｒＩにおいて、インクの使用量が最近傍色に近づくにつれて減るように、印刷データを生成するので、下地色と同じ色のみについてインク量を減らすように印刷データを生成する構成に比べてインクの使用量をより低減でき、また、最近傍色含有領域ＡｒＩにおいて一律に同じ量だけインク量を減らす構成に比べて画像における階調再現性の低下を抑制できる。したがって、インク使用量を低減しつつ階調再現性の低下を抑制できる。
【００５１】
また、最近傍色におけるインクの使用量がゼロとなるように印刷データを生成するので、最近傍色におけるインクの使用量がゼロよりも多い構成に比べてインクの使用量をより低減できる。また、最近傍色を中心とする所定の半径ｒ１の円領域の少なくとも一部を最近傍領域として設定するので、最近傍色を中心とした色範囲においてバランスよくインクの使用量を低減でき、色の再現性の低下をより抑制できる。また、円領域と色域ＣＡｒとの重複領域を最近傍色含有領域ＡｒＩとして印刷データを生成するので、少なくとも重複領域においては、下地色を中心とした色範囲においてバランスよくインクの使用量を低減できる。
【００５２】
Ｂ．第２実施形態：
第２実施形態の画像処理装置および印刷装置の装置構成は、上述した第１実施形態の画像処理装置１００および印刷装置２００と同じであるので、同一の構成要素には同一の符号を付し、その詳細な説明を省略する。第２実施形態の印刷データ生成処理は、ステップＳ１２５（インク使用率特定処理）の詳細手順において、図３に示す第１実施形態の印刷データ生成処理と異なり、他の手順は、第１実施形態の印刷データ生成処理と同じである。
【００５３】
図１２は、第２実施形態におけるインク使用率特定処理の手順を示すフローチャートである。印刷データ生成部１１３は、最近傍色は下地色と一致するか否かを判定する（ステップＳ４０５）。最近傍色は下地色と一致しないと判定された場合（ステップＳ４０５：ＮＯ）、印刷データ生成部１１３は、インク使用率テーブルに従って、最近傍色含有領域ＡｒＩの各色について、インク使用率を特定する（ステップＳ４２０）。例えば、図６に示すように下地色Ｃ２と最近傍色Ｃｎとが異なる場合には、図９に示す最近傍色含有領域ＡｒＩについては、上述した第１実施形態と同様に、インク使用率テーブル２２に従って、各色のインク使用が特定される。
【００５４】
上述のステップＳ４０５において、最近傍色は下地色と一致すると判定された場合（ステップＳ４０５：ＹＥＳ）、印刷データ生成部１１３は、円領域の一部が色域ＣＡｒの外部に存在するか否かを判定する（ステップＳ４１０）。円領域の一部が色域の外部に存在しないと判定された場合（ステップＳ４１０：ＮＯ）、上述のステップＳ４２０が実行される。例えば、図５に示すように下地色Ｃ１と最近傍色Ｃｎとが一致し、且つ、図８に示すように円領域Ａｒ１がすべて色域ＣＡｒの内部に存在する場合には、図８に示す最近傍色含有領域ＡｒＩについては、上述した第１実施形態と同様に、インク使用率テーブル２２に従って、各色のインク使用率が特定される。
【００５５】
他方、ステップＳ４１０において、円領域の一部が色域の外部に存在すると判定された場合（ステップＳ４１０：ＹＥＳ）、印刷データ生成部１１３は、最近傍色含有領域ＡｒＩを第１領域と第２領域とに区分し、第１領域については、第２領域に比べてインクの使用量が多くなるようにインク使用率を特定し、第２領域については、上述の第１実施形態と同様に、インク使用率テーブル２２に従って、各色のインク使用率を特定する（ステップＳ４１５）。かかるステップＳ４１５の詳細手順について、図１３を用いて説明する。
【００５６】
図１３は、第２実施形態のインク使用率特定処理のステップＳ４１５の手順を説明するための説明図である。図１３では、図１０に示す最近傍色含有領域ＡｒＩを中心とした部分を拡大して示している。なお、図１３では、図１０に対して仮想線ＶＬが追加されている。図１０に示す例では、最近傍色Ｃｎは下地色Ｃ３と一致し、円領域Ａｒ３の一部が色域ＣＡｒの外部に存在するため、ステップＳ４１５が実行される。
【００５７】
図１３に示すように、ステップＳ４１５において、最近傍色含有領域ＡｒＩは、第１領域ＡｒＩ１と、第２領域ＡｒＩ２とに区分される。第１領域ＡｒＩ１は、最近傍色Ｃｎと、２つの交点Ｃｓ１、Ｃｓ２とで囲まれる領域である。第２領域ＡｒＩ２は、最近傍色含有領域ＡｒＩから第１領域ＡｒＩ１を除いたその他のすべての領域である。２つの交点Ｃｓ１、Ｃｓ２は、円領域Ａｒ３の外縁と色域ＣＡｒの外縁との交点に相当する。また、これら２つの交点Ｃｓ１、Ｃｓ２は、課題を解決するための手段欄における交差部の下位概念に相当する。第２実施形態では、第１領域ＡｒＩ１の各色に適用されるインク使用率テーブルと、第２領域ＡｒＩ２の各色に適用されるインク使用率テーブルとは、互いに異なる。一例として、最近傍色Ｃｎを通る仮想線ＶＬ上の２色であって、互いに最近傍色Ｃｎを中心として対称となる２色（色Ｃ１ａおよび色Ｃ１ｂ）に適用されるインク使用率について、図１４を用いて説明する。
【００５８】
図１４は、第２実施形態におけるインク使用率テーブルの設定内容を模式的に示す説明図である。図１４における横軸および縦軸は、図１１における横軸および縦軸と同じであるので、その詳細な説明を省略する。図１４では、図１３に示す色Ｃ１ａに適用されるインク使用率テーブルＲｔａと、図１３に示す色Ｃ１ｂに適用されるインク使用率テーブルＲｔｂとが表されている。
【００５９】
色Ｃ１ｂに適用されるインク使用率テーブルＲｔｂは、図１１に示す第１実施形態のインク使用率テーブルと同じである。これに対して、色Ｃ１ａに適用されるインク使用率テーブルＲｔａは、最近傍色からの距離に対するインク使用率の傾きが、インク使用率テーブルＲｔｂよりも大きい。具体的には、インク使用率テーブルＲｔａでは、距離ｒ１よりも短い距離ｄ１においてインク使用率は１００％に達している。この距離ｄ１は、図１３に示すように、仮想線ＶＬと色域ＣＡｒの外縁との交点Ｃｓ１２と、最近傍色Ｃｎとの距離ｄ１に一致する。ここで、最近傍色Ｃｎから色Ｃ１ａまでの距離と、最近傍色Ｃｎから色Ｃ１ｂまでの距離とは互いに、距離ｄ１ａで一致する場合、図１４に示すように、色Ｃ１ａに対して特定されるインク使用率ｒａは、色Ｃ１ｂに対して特定されるインク使用率ｒｂよりも多い。つまり、ステップＳ４１５では、絶対色空間における最近傍色Ｃｎからの距離が互いに同じである第１領域ＡｒＩ１の色と、第２領域ＡｒＩ２の色とを比較した場合、第１領域ＡｒＩ１内の色に特定されるインク使用量は、第２領域ＡｒＩ２内の色に特定されるインク使用量に比べて多くなるように、最近傍色含有領域ＡｒＩ内の各色のインク使用率が特定される。
【００６０】
さらに、言い換えると、最近傍色Ｃｎを通る仮想線ＶＬ上に存在する第１領域ＡｒＩ１内の色Ｃ１ａに対応付けられるインクの使用量と、該色について仮想線ＶＬにおいて最近傍色Ｃｎを中心として対象となる色Ｃ１ｂに対応付けられたインクの使用量と、の比は、仮想線ＶＬと円領域Ａｒ３の外縁との交点Ｃｓ１１と最近傍色Ｃｎとの間の距離（すなわち、半径ｒ１）と、仮想線ＶＬと色域ＣＡｒの外縁との交点Ｃｓ１２と、最近傍色Ｃｎとの間の距離ｄ１と、の比に一致する。なお、インク使用率テーブルＲｔａは、課題を解決するための手段欄における第１の対応付けに、インク使用率テーブルＲｔｂは、課題を解決するための手段欄における第２の対応付けに、それぞれ相当する。
【００６１】
以上説明した第２実施形態の画像処理装置１００は、第１実施形態の画像処理装置１００と同様な効果を有する。加えて、第１領域ＡｒＩ１と第２領域ＡｒＩ２とで、最近傍色Ｃｎからの距離とインクの使用量との対応付けが同じである構成に比べて、インクの使用量をより多く低減できる。
【００６２】
Ｃ．第３実施形態：
第３実施形態の画像処理装置および印刷装置の装置構成は、上述した第１実施形態の画像処理装置１００および印刷装置２００と同じであるので、同一の構成要素には同一の符号を付し、その詳細な説明を省略する。第３実施形態の画像処理装置１００では、インク使用率テーブル２２として予め複数のテーブルが用意されており、ユーザーは、これら複数のインク使用率テーブル２２から、印刷データ生成時に使用するテーブルを、後述の「インク使用率選択メニュー画面」を利用して選択できる。
【００６３】
図１５は、第３実施形態におけるインク使用率テーブルの設定内容を模式的に示す説明図である。図１５に示すように、第３実施形態のインク使用率テーブル２２は、４つのインク使用率テーブルＲｔ１、Ｒｔ２、Ｒｔ３、Ｒｔ４からなる。インク使用率テーブルＲｔ１は、図１１に示す上述した第１実施形態のインク使用率テーブル２２と同じである。他の３つのインク使用率テーブルＲｔ２〜Ｒｔ４は、いずれも最近傍色からの距離が同じ場合には、インク使用率テーブルＲｔ１のインク使用率よりも小さなインク使用率が対応付けられており、また、この順序で次第に小さなインク使用率が対応付けられている。但し、いずれのインク使用率テーブルＲｔ１〜Ｒｔ４においても、下地色からの距離がゼロである場合には、インク使用率としてゼロ（％）が対応付けられ、下地色からの距離が距離ｒ１である場合には、インク使用率として１００（％）が対応付けられている。３つのインク使用率テーブルＲｔ２〜Ｒｔ４は、いずれも、最近傍色からの距離の増加に対して、インク使用率が指数関数的に増加している。
【００６４】
図１６は、第３実施形態におけるインク使用率テーブル選択メニュー画面の一例を示す説明図である。ユーザーは、表示装置６０に表示されたメニュー画面から、図示しない入力デバイス、例えば、キーボードやマウスを用いてインク使用率テーブル選択メニューを選択して実行させると、図１６に示すインク使用率テーブル選択メニュー画面Ｗ１が、表示装置６０に表示される。
【００６５】
インク使用率テーブル選択メニュー画面Ｗ１は、テーブル選択部Ｗ１１と、テーブル表示部Ｗ１２とを備える。テーブル選択部Ｗ１１は、上述の４つのインク使用率テーブルＲｔ１〜Ｒｔ４のうちのいずれのテーブルを使用するかを指定するための操作部および指定されたテーブル番号の表示部を有する。図１６の例では、インク使用率テーブルＲｔ３が選択されている。
【００６６】
テーブル表示部Ｗ１２には、図１５と同様な内容が表示される。但し、テーブル選択部Ｗ１１で選択されたインク使用率テーブルが太い実線で表示され、その他のインク使用率テーブルが破線で表示される。ユーザーは、テーブル表示部Ｗ１２に表示されたインク使用率テーブルを確認することにより、選択したインク使用率テーブルを用いた場合、最近傍色からの距離に応じてインク使用量がどの程度低減されるかをおおよそ理解できる。そして、かかるインク使用率テーブル選択メニュー画面Ｗ１により選択されたインク使用率テーブルは、図３に示すデータ生成処理のステップＳ１２５において参照されることとなる。
【００６７】
以上説明した第３実施形態の画像処理装置１００は、第１実施形態の画像処理装置１００と同様な効果を有する。加えて、色域ＣＡｒにおける最近傍色からの距離と、インクの使用率とを対応付けた複数のインク使用率テーブルのうちから、使用するインク使用率テーブルを選択するためのユーザーインターフェイスであるインク使用率テーブル選択メニュー画面Ｗ１を備えており、かかるインク使用率テーブル選択メニュー画面Ｗ１により選択されたインク使用率テーブルを用いて印刷データが生成されるので、ユーザーは、より好ましい再現性を得られるように、インク使用率テーブルを選択することができる。また、インク使用率テーブル選択メニュー画面Ｗ１では、テーブル選択部Ｗ１１で選択されたインク使用率テーブルがどのような設定内容であるかがテーブル表示部Ｗ１２に表示されるので、ユーザーは、選択したインク使用率テーブルを用いた場合、下地色からの距離に応じてインク使用量がどの程度低減されるかをおおよそ理解できる。
【００６８】
Ｄ．変形例：
Ｄ１．変形例１：
各実施形態では、最近傍色におけるインクの使用量がゼロとなるように印刷データが生成されていたが、最近傍色に代えて、下地色におけるインクの使用量がゼロとなるように印刷データが生成されてもよい。この構成によれば、図６および図９に示す例において、下地色とは異なる色においてインクの使用率をゼロとせずに済み、階調再現性の低下をより低減できる。なお、最近傍色におけるインクの使用量を、ゼロよりも大きな量となるように印刷データが生成されてもよい。
【００６９】
Ｄ２．変形例２：
各実施形態では、色域ＣＡｒは、横軸をＣ＊とし、縦軸をＬ＊とする２次元の色空間で設定されていたが、Ｌ＊ａ＊ｂ＊のような３次元の色空間で表現されてもよい。この場合、最近傍色含有領域ＡｒＩを確定するために用いられる領域として、円領域に代えて球領域が用いられてもよい。すなわち、一般には、最近傍色を中心とする所定の半径の等距離領域の少なくとも一部を、本発明の画像処理装置における最近傍色含有領域に適用してもよい。また、最近傍色含有領域ＡｒＩは、等距離領域の少なくとも一部でなくとも他の任意の形状の領域の少なくとも一部であってもよい。例えば、三角形や楕円形や円柱などの領域の少なくとも一部であってもよい。
【００７０】
Ｄ３．変形例３：
各実施形態では、最近傍色を中心とする所定の半径ｒ１の円領域の一部が色域ＣＡｒの外部に存在する場合には、円領域と色域ＣＡｒとの重複領域を最近傍色含有領域ＡｒＩとして設定されていたが、本発明はこれに限定されない。かかる場合においても、円領域のすべてが最近傍色含有領域ＡｒＩとして設定されてもよい。この場合には、印刷データ生成処理のステップＳ１２５において、重複領域以外の領域、すなわち、色域ＣＡｒから外れた色についてもインク使用率が特定されることとなる。
【００７１】
Ｄ４．変形例４：
各実施形態では、画像処理装置１００は、印刷装置２００とは異なる装置であるパーソナルコンピューターにより構成されていたが、本発明はこれに限定されない。例えば、印刷装置２００が備える制御部２１０により、本発明の画像処理装置が構成されてもよい。
【００７２】
Ｄ５．変形例５：
各実施形態では、印刷媒体Ｐの下地色データの取得は、測色器２３０による測定データ、または、制御部２１０に予め記憶されているデータを取得することより実現されていたが、本発明はこれに限定されない。例えば、ユーザーが、画像処理装置１００および印刷装置２００とは別の装置として用意された測色器を用いて印刷媒体Ｐの表面の色を測定し、得られた測定値（ＲＧＢ）を画像処理装置１００に登録することにより、下地色データを取得してもよい。
【００７３】
Ｄ６．変形例６：
第３実施形態において、使用するインク使用率テーブルを選択するためのユーザーインターフェイスは、表示装置６０に表示されるインク使用率テーブル選択メニュー画面Ｗ１であったが、本発明はこれに限定されない。例えば、印刷装置２００の操作パネル２０１が有する図示しないディスプレイに表示されるメニュー画面として構成されてもよい。また、例えば、印刷装置２００の操作パネル２０１にインク使用率テーブルを選択するための専用の操作ボタンが用意しておき、かかる操作ボタンを操作することにより、使用するインク使用率テーブルを選択できる構成としてもよい。かかる構成においては、専用の操作ボタンは、課題を解決するための手段欄におけるユーザーインターフェイスの下位概念に相当する。
【００７４】
Ｄ７．変形例７：
各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータプログラム）は、コンピューター読み取り可能な記録印刷媒体に格納された形で提供することができる。「ハードウェア」としては、例えば、集積回路、ディスクリート回路、または、それらの回路を組み合わせたモジュールを利用可能である。「コンピューター読み取り可能な記録印刷媒体」とは、フレキシブルディスクやＣＤ−ＲＯＭのような携帯型の記録印刷媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録印刷媒体」とは、データを一時的ではなく固定可能な任意の記録印刷媒体を含む広い意味を有している。
【００７５】
Ｄ８．変形例８：
各実施形態において、最近傍色を中心とした所定の半径は予め定められた値であったが、ユーザーが半径の値を任意に入力できるようにしてもよい。この構成により円領域（等距離領域）の拡大または縮小が可能になり、ユーザーのニーズに合わせた印刷を行うことができる。
【００７６】
本発明は、上述の実施形態および変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７７】
１０…ＣＰＵ、２０…メモリー、２１…色域情報、２２…インク使用率テーブル、３０…ハードディスクドライブ、４０…入出力インターフェイス部、５０…内部バス、６０…表示装置、１００…画像処理装置、１１１…画像入力部、１１２…下地色情報取得部、１１３…印刷データ生成部、１１４…印刷指示部、１１５…表示制御部、２００…印刷装置、２０１…操作パネル、２０２…接続インターフェイス部、２１０…制御部、２２０…キャリッジ、２２１〜２２４…インクカートリッジ、２２５…印刷ヘッド、２３０…測色器、２５０…キャリッジモーター、２５１…駆動ベルト、２５２…プーリー、２５３…支持ロッド、２８１…モーター、２８２…ローラー、Ａｒ１〜Ａｒ３…円領域、ＡｒＩ…最近傍色含有領域、ＡｒＩ１…第１領域、ＡｒＩ２…第２領域、Ｃ１〜Ｃ３…下地色、Ｃ１ａ，Ｃ１ｂ…色ＣＡｒ…色域、Ｃｎ…最近傍色、Ｃｓ１…交点、Ｃｓ１１…交点、Ｃｓ１２…交点、ＭＤ…主走査方向、Ｐ…印刷媒体、Ｒｔ１〜Ｒｔ４…インク使用率テーブル、Ｒｔａ…インク使用率テーブル、Ｒｔｂ…インク使用率テーブル、ＳＤ…副走査方向、ＶＬ…仮想線、Ｗ１…インク使用率テーブル選択メニュー画面、Ｗ１１…テーブル選択部、Ｗ１２…テーブル表示部、ｄ１…距離、ｄ１ａ…距離、ｒ１…半径（距離）、ｒａ，ｒｂ…インク使用率
【図１】
2018186323.tif 000003
【図２】
2018186323.tif 000004
【図３】
2018186323.tif 000005
【図４】
2018186323.tif 000006
【図５】
2018186323.tif 000007
【図６】
2018186323.tif 000008
【図７】
2018186323.tif 000009
【図８】
2018186323.tif 000010
【図９】
2018186323.tif 000011
【図１０】
2018186323.tif 000012
【図１１】
2018186323.tif 000013
【図１２】
2018186323.tif 000014
【図１３】
2018186323.tif 000015
【図１４】
2018186323.tif 000016
【図１５】
2018186323.tif 000017
【図１６】
2018186323.tif 000018